(57)【要約】【課題】押鍵に伴ってハンマーヘッドが打弦するハンマーアクション機構において、ハンマー取付工程の簡略化や取付精度の向上等を図る。【解決手段】ハンマーシャンク３２の他端を、シャンクレールに取り付けられたシャンクフレンジ３０に蝶着する。この蝶着では、心棒Ａに対して互いに２枚の羽根４１、４２が回動自在である蝶番４０が用いられる。心棒Ａとハンマーシャンク３２の軸方向とが互いに直交するように、羽根４１がシャンクフレンジ３０に、羽根４２がハンマーシャンク３２の他端に、それぞれネジ止めされる。【選択図】図２
2009300937.tif 000002
【特許請求の範囲】
【請求項１】
ハンマーシャンクと、前記ハンマーシャンクの一端に取り付けられたハンマーヘッドとを有し、
前記ハンマーシャンクの他端が、シャンクレールに取り付けられたシャンクフレンジと蝶番を介して接合され、
鍵の押下によって前記ハンマーシャンクが回動し、前記ハンマーヘッドが被打撃体を打撃する
ことを特徴とする鍵盤装置のハンマーアクション機構。
【請求項２】
前記シャンクフレンジを廃して、前記ハンマーシャンクの他端を、前記シャンクレールに蝶着した
ことを特徴とする請求項１に記載の鍵盤装置のハンマーアクション機構。
【請求項３】
前記蝶番は、複数の羽根と共通羽根とが回動軸を中心に回動自在であり、
前記複数の羽根の各々は、それぞれハンマーシャンクの他端に取り付けられ、前記共通羽根は、前記シャンクレールに取り付けられた
ことを特徴とする請求項２に記載の鍵盤装置のハンマーアクション機構。
【発明の詳細な説明】
【技術分野】
【０００１】
本発明は、鍵盤装置におけるハンマー取付工程の簡略化や取付精度の向上等を図った技術に関する。
【背景技術】
【０００２】
鍵盤装置を有するピアノでは、演奏者が鍵を押下すると、ハンマーシャンクが回動して当該ハンマーシャンクの一端に設けられたハンマーヘッドが打弦する。ここで、ハンマーシャンクとシャンクフレンジとは、予め形成された貫通孔にピンを挿通させた構成であり、これにより、ハンマーシャンクは、シャンクフレンジに対して回動自在となっている。
【特許文献１】特開２００１−２２２２８２号公報（特に図２、図３参照）
【発明の開示】
【発明が解決しようとする課題】
【０００３】
ところで、ハンマーシャンクやシャンクフレンジは木製であるので、ハンマー取付工程が複雑化したり、取付精度が低下したりしやすい。ハンマーシャンクの回動性を確保するために、貫通孔の内側にはクロス（布）が貼り付けられるが、当該クロスの厚みが摩擦等により減少して、ハンマーの回動性に変化が生じやすい。
本発明は、このような事情に鑑みてなされたもので、その目的の１つは、ハンマー取付工程の簡略化や取付精度の向上等を図ることが可能な鍵盤装置のハンマーアクション機構を提供することにある。
【課題を解決するための手段】
【０００４】
上記目的を達成するために、本発明は、ハンマーシャンクと、前記ハンマーシャンクの一端に取り付けられたハンマーヘッドとを有し、前記ハンマーシャンクの他端が、シャンクレールに取り付けられたシャンクフレンジと蝶番を介して接合され、鍵の押下によって前記ハンマーシャンクが回動し、前記ハンマーヘッドが被打撃体を打撃することを特徴とする。本発明によれば、ハンマーシャンクやシャンクフレンジに貫通孔を形成したり、この貫通孔にピンを挿通したりする工程を省略することができる。また、貫通孔の内側にクロスを貼り付ける必要もないので、ハンマーの回動性に悪影響を与えることもない。
【０００５】
本発明において、前記シャンクフレンジを廃して、前記ハンマーシャンクの他端を、前記シャンクレールに蝶着した構成としても良い。さらに、前記蝶番は、複数の羽根と共通羽根とが回動軸を中心に回動自在であり、前記複数の羽根の各々は、それぞれハンマーシャンクの他端に取り付けられ、前記共通羽根は、前記シャンクレールに取り付けられた構成としても良い。
【発明を実施するための最良の形態】
【０００６】
以下、図面を参照しながら、本発明に係る実施形態について説明する。
図１は、実施形態に係るハンマーアクション機構を含む鍵盤装置の構成を示す要部断面図である。なお、図１は、グランドピアノを演奏位置からみたときを正面図としたときの左側面図である。したがって、図１において右側が演奏者からみて手前側となり、図において左側が奥側となる。
図１において、鍵１は、筬中３に対しバランスピン５により揺動自在に支持されるとともに、右側に位置する演奏者によって押下される。なお、鍵１は、紙面の表裏方向にわたって８８個並設されて、これにより鍵盤装置が構成されている。
【０００７】
鍵１の上方には、弦Ｓが図において水平方向に張られている。この弦Ｓと鍵１との間に、鍵１の押下によって弦を打撃するハンマーアクション機構２０が設けられている。そこで以下、このハンマーアクション機構２０について説明する。
【０００８】
サポートレール２１およびシャンクレール２２は、紙面の表裏方向にわたって、すなわち、８８鍵の配列方向にわたって延在するように設けられた固定部材である。このうち、サポートレール２１の端部には、鍵１の延設方向に沿って配設された長手形状のウイペン２３の奥側端部がピン２４により回動自在に結合されている。ウイペン２３の自由端である手前側端部には、ジャック大２５ａとジャック小２５ｂとからなる略Ｌ字状のジャック２５が、その屈曲部近傍部分において回動自在にピン結合されている。ウイペン２３において、長手方向の中央やや手前方寄りの部分が、鍵１から上方に延びるキャプスタン２６に支持され、鍵１が押下されると、上方に突き上げられるようになっている。
【０００９】
ウイペン２３の中央部には上方に延びるレバーフレンジ２７が固定されており、このレバーフレンジ２７の上端部には、レペティションレバー２８の中間部が回動自在にピン結合されている。なお、レペティションレバー２８は、ウイペン２３およびレバーフレンジ２７に対してスプリングにより反時計回りの方向に付勢されているが、その付勢は、レペティションレバー２８の奥側端部に設けられたレペティションレバーボタンがウイペン２３に当接することによって制限されている。
一方、レペティションレバー２８の手前側端部には、その長手方向に沿って上下方向に貫通する長孔２８ａが形成されており、この長孔２８ａに、ジャック大２５ａの上端部が遊挿されている。
【００１０】
また、シャンクレール２２の上面には、鍵１毎にシャンクフレンジ３０がフレンジスクリュー３０ａによってネジ止めされている。このシャンクフレンジ３０の奥側には、押鍵時にレペティションレバー２８の回動を制限するためのレギュレーティングスクリュー３８が設けられている。
さらに、シャンクレール２２には、このシャンクレール２２に沿ってレギュレーティングレール３５が固定されている。このレギュレーティングレール３５の下面には、上下方向に位置調整可能とされたレギュレーティングボタン３６が設けられている。このレギュレーティングボタン３６の下端面には、ジャック小２５ｂの先端部が当接するクッション３６ａが取り付けられている。
なお、鍵１の奥側には、ハンマーヘッド３３に向かうバックチェック３７が取り付けられている。
【００１１】
ハンマー３１は、ハンマーシャンク３２と、当該ハンマーシャンク３２の一端側に固定されたハンマーヘッド３３とを含む。ハンマーシャンク３２の他端側、すなわちシャンクフレンジ３０への結合部分側の下面には、ハンマーローラー３４が装着されている。このハンマーローラー３４の下面は、ジャック大２５ａの上端面との間に僅かな隙間があいた状態で、レペティションレバー２８の上面に当接している。
一方、ハンマーシャンク３２の他端は、シャンクフレンジ３０に対して蝶着されている。
【００１２】
図２は、ハンマーシャンク３２とシャンクフレンジ３０との蝶着を説明するための図であり、図３は、蝶着された状態を示す斜視図である。
これらの図に示されるように、ハンマーシャンク３２の他端は、心棒Ａに対して互いに２枚の羽根４１、４２が回動自在である蝶番４０を介してシャンクフレンジ３０に蝶着されている。詳細には、心棒Ａとハンマーシャンク３２の軸方向とが互いに直交するように、一方の羽根４１がシャンクフレンジ３０に、他方の羽根４２がハンマーシャンク３２の他端に、それぞれネジ止めされた構成となっている。これにより、ハンマーシャンク３２は、シャンクフレンジ３０に対し芯棒Ａを中心にして回動自在となっている。
なお、図２および図３では、説明の便宜のために、ハンマーシャンク３２の一端に取り付けられるハンマーヘッド３３を省略した状態となっている（後述する図４乃至図６においても同様である）。
【００１３】
この構成のハンマーアクション機構２０において、鍵１が押下にされると、当該鍵１は、バランスピン５の支点を中心にして図において時計回りに回動し、これにより、ウイペン２３が、キャプスタン２６により突き上げられ、ジャック２５およびレペティションレバー２８とともにピン２４を中心として反時計回りに回動する。この回動によってハンマーローラー３４がジャック大２５ａの上端部によって突き上げられ、ハンマーシャンク３２が軸Ａを中心に時計回りの方向に回動し、これにより、ハンマーヘッド３３が、押鍵された鍵１に対応する弦Ｓを打撃して、その鍵１に応じた楽音が発せられる。
【００１４】
押鍵時に、ウイペン２３およびレペティションレバー２８が反時計回りに回動する途中において、レペティションレバー２８の前側端部がレギュレーティングスクリュー３８に当接すると、レペティションレバー２８の回動が停止する一方、この回動停止とほぼ同時にウイペン２３のジャック小２５ｂの先端がレギュレーティングボタン３６のクッション３６ａに当接する。これにより、ジャック２５が時計回りに回動し始めて、ジャック大２５ａの上端部が図において右側に移動してハンマーローラー３４から脱進する。
なお、ハンマーヘッド３３は、弦Ｓを打撃すると、その反動と自重とにより下方に回動する。押下状態にある鍵１は時計回りに回動して、これにより、バックチェック３７が演奏者側に移動しているので、下方に回動したハンマーヘッド３３は、当該バックチェック３７によって咬持される。
【００１５】
一方、鍵１が離されると、すなわち、離鍵されると、鍵１がバランスピン５の支点を中心にして図において反時計回りに回動する。この回動に伴ってバックチェック３７がハンマーヘッド３３を開放するとともに、ウイペン２３が自重によってピン２４を中心として時計回りに回動する。この回動により、ジャック小２５ｂがレギュレーティングボタン３６（クッション３６ａ）から徐々に離れて、ジャック２５が反時計回りに回動し、ジャック大２５ａが回転してハンマーローラー３４の真下へ移動して再び当接し、押鍵前の初期状態に戻る。
【００１６】
ところで、従来では図６に示されるように、シャンクフレンジ３０においてハンマーシャンク３２の取り付ける側を凸状に形状加工するとともに、貫通孔３０ｂを設ける一方、ハンマーシャンク３２の他端を、二股に分かれたＵ字状に形状加工して、シャンクの軸方向とは直交する方向に貫通孔３２ｂを設ける。そして、貫通孔３０ａ、３２ｂにセンターピン４５を挿通して、シャンクフレンジ３０に対してハンマーシャンク３２が回動自在となるように構成されていた。
しかしながら、ハンマーシャンク３２をシャンクフレンジ３０に取り付ける工程が複雑化したり、貫通孔の加工性が悪ければ、取付精度が低下したりしてしまう。また、貫通孔３０ｂの内面にはクロスが貼り付けられるが、擦り切れが発生して、当該クロスの厚み管理が困難となるだけでなく、ハンマーの回動性に悪影響が生じやすい点は上述した通りである。
【００１７】
これに対して本実施形態では、シャンクフレンジ３０に対してハンマーシャンク３２を蝶番４０によって取り付けるので、ハンマーシャンク３２やシャンクフレンジ３０に対する形状加工が不要となるだけでなく、取付精度も向上させることができる。さらに、蝶番４０における心棒Ａで回動させるので、クロス等が不要となり、厚みを管理する必要もなくなる。また、ハンマーシャンク３２の回動性は、蝶番３０の心棒Ａに対する羽根４１、４２の摩擦で決まるので、ハンマーの回動性に与える影響を小さくを抑えることも可能となる。
【００１８】
上述した実施形態では、シャンクレール２２にねじ止めされたシャンクフレンジ３０にハンマーシャンク３２を蝶着したが、図４に示されるように、シャンクフレンジ３０を廃して、シャンクレール２２に直接、ハンマーシャンク３２を蝶着した構成とした構成としても良い。この構成によれば、シャンクフレンジ３０が不要となるので、取付工程をより簡易化することが可能となる。
なお、シャンクフレンジ３０を廃するのに合わせて、シャンクレール２２を、レギュレーティングレール３５からハンマーシャンク３２の取付側に延長した形状に変更する必要がある。また、シャンクフレンジ３０を廃する場合、特に図示しないが、シャンクレール２２の下面側に、レギュレーティングスクリュー３８が鍵１毎に設けられる。
【００１９】
また、上述した実施形態では、１つのハンマーシャンク３２を１つの蝶番４０によってシャンクフレンジ３０（またはシャンクレール２２）に取り付けたが、蝶番４０では、羽根４２だけが回動し、羽根４１は固定されるので、図５に示されるように、固定側の羽根４１を、複数の（図では３個の）ハンマーシャンク３２にわたって共用する構成としても良い。
詳細には、図５において、蝶番４０は、枝部が３つに分岐するとともに幹部がシャンクレール２２にネジ止めされた羽根４１（共通羽根）と、羽根４１における３つの枝部に対してそれぞれ心棒Ａを中心に回動する３つの羽根４２とを有し、各羽根４２に対して、それぞれハンマーシャンク３２の他端がネジ止めされている。この構成により、３つのハンマーシャンク３２が１ユニットとしてシャンクレール２２に取り付けることができるので、さらなる取付工程の簡易化や精度向上を図ることができる。
【００２０】
なお、図５では、３つのハンマーシャンク３２を１つの蝶番４０で取り付ける構成であったが、さらなる取付工程の簡易化や精度向上を図る場合には、蝶番４０における枝部が２以上であれば良い。
【００２１】
また、上述した実施形態にあっては、アコースティックのグランドピアノを例にとって説明したが、本発明は、いわゆるサイレントピアノにも適用可能である。サイレントピアノに適用する場合には、弦Ｓの代わりに、減衰材などを被打撃部材としてハンマーヘッド３３が打撃する構成となる。
【図面の簡単な説明】
【００２２】
【図１】実施形態に係るハンマーアクション機構を含む鍵盤装置の構成を示す図である。
【図２】ハンマーアクション機構におけるハンマーシャンクの取付工程を示す図である。
【図３】ハンマーアクション機構におけるハンマーシャンクの取付部分を示す図である。
【図４】応用・変形例に係るハンマーシャンクの取付部分を示す図である。
【図５】別の応用・変形例に係るハンマーシャンクの取付部分を示す図である。
【図６】従来のハンマーシャンクの取付部分を示す図である。
【符号の説明】
【００２３】
１…鍵、２２…シャンクレール、３０…シャンクフレンジ、３１…ハンマー、３２…ハンマーシャンク、３３…ハンマーヘッド、４０…蝶番、４１、４２…羽根
【図１】
2009300937.tif 000003
【図２】
2009300937.tif 000004
【図３】
2009300937.tif 000005
【図４】
2009300937.tif 000006
【図５】
2009300937.tif 000007
【図６】
2009300937.tif 000008